(57)【要約】    【課題】  ペーパータオルを芯のまわりに巻き付けたロール型ペーパータオルを収納するためのケースを提供することである。    【解決手段】  多角筒状又は円筒状の側壁（１２）と、側壁の一端を閉鎖する端壁（１４）と、側壁の他端に嵌め込まれる蓋（１６）とを備え、端壁および蓋のほぼ中央に、ペーパータオルの芯に差し込まれる突出部（１４ａ、１６ａ）がそれぞれ設けられており、側壁の面又は稜線に、ペーパータオルを取り出すための長さ方向に延びた取出口（１２ａ）が設けられており、取出口が設けられている面又は稜線に隣接した面に、ペーパータオルの引き出しの際にペーパータオルを押さえるための押さえ穴（１２ｂ）が設けられていることを特徴とする収納ケース（１０）。【選択図】  図１
2005230146.tif 000002
【特許請求の範囲】
【請求項１】
ロール型ペーパータオル収納ケースであって、
多角筒状又は円筒状の側壁と、前記側壁の一端を閉鎖する端壁と、前記側壁の他端に嵌め込まれる蓋とを備え、
前記端壁および前記蓋のほぼ中央に、ペーパータオルの芯に差し込まれる突出部がそれぞれ設けられており、
前記側壁の面又は稜線に、ペーパータオルを取り出すための長さ方向に延びた取出口が設けられており、
前記取出口が設けられている面又は稜線に隣接した面に、ペーパータオルの引き出しの際にペーパータオルを押さえるための押さえ穴が設けられている、
ことを特徴とする収納ケース。
【請求項２】
前記押さえ穴が、前記面の前記端壁に近接した個所に、左肩上がりの楕円形として形成されていることを特徴とする請求項１に記載の収納ケース。
【請求項３】
前記取出口を中心軸として、前記押さえ穴が位置する個所と反対側の個所に、右肩上がりの楕円形の第２の押さえ穴が更に設けられていることを特徴とする請求項２に記載の収納ケース。
【請求項４】
前記押さえ穴が位置する側壁の面のほぼ中央に、第３の押さえ穴が更に設けられていることを特徴とする請求項２又は３に記載の収納ケース。
【発明の詳細な説明】
【技術分野】
【０００１】
本発明は、使い勝手の良いロール型ペーパータオル収納ケースに関する。
【背景技術】
【０００２】
ペーパータオルは、布巾に変わるものとして、一般家庭に浸透しつつある。特に、ペーパータオルを中空の芯のまわりに巻き付けたロール型ペーパータオルは、台所等で使用するのに重宝がられている。
【発明の開示】
【発明が解決しようとする課題】
【０００３】
しかしながら、市販されているロール型ペーパータオルは、円筒形で安定性に欠けるにもかかわらず、適当な収納ケースがないため、以下のような不都合な点が存在した。
（１）汁を零したテーブル上を転がる等して濡らしてしまい、廃棄しなければならないことがある。
（２）水に濡れた場合には、乾燥させることはできるが、一度濡らした部分が乾燥すると、ゴアゴア感が残り、使用の際に不快感が残る。
（３）台所に置く場合が多いが、台所での煮炊きや日差し等の影響で変色してしまうことがあり、不衛生な印象を与える。
【０００４】
したがって、本発明は、上述の課題を克服した使い勝手の良いロール型ペーパータオル収納ケースを提供することを目的としている。
【課題を解決するための手段】
【０００５】
本願請求項１に記載のロール型ペーパータオル収納ケースは、多角筒状又は円筒状の側壁と、前記側壁の一端を閉鎖する端壁と、前記側壁の他端に嵌め込まれる蓋とを備え、前記端壁および前記蓋のほぼ中央に、ペーパータオルの芯に差し込まれる突出部がそれぞれ設けられており、前記側壁の面又は稜線に、ペーパータオルを取り出すための長さ方向に延びた取出口が設けられており、前記取出口が設けられている面又は稜線に隣接した面に、ペーパータオルの引き出しの際にペーパータオルを押さえるための押さえ穴が設けられていることを特徴とするものである。
【０００６】
本願請求項２に記載のロール型ペーパータオル収納ケースは、前記請求項１の収納ケースにおいて、前記押さえ穴が、前記面の前記端壁に近接した個所に、左肩上がりの楕円形として形成されていることを特徴とするものである。
【０００７】
本願請求項３に記載のロール型ペーパータオル収納ケースは、前記請求項２の収納ケースにおいて、前記取出口を中心軸として、前記押さえ穴が位置する個所と反対側の個所に、右肩上がりの楕円形の第２の押さえ穴が更に設けられていることを特徴とするものである。
【０００８】
本願請求項３に記載のロール型ペーパータオル収納ケースは、前記請求項２又は３の収納ケースにおいて、前記押さえ穴が位置する側壁の面のほぼ中央に、第３の押さえ穴が更に設けられていることを特徴とするものである。
【発明の効果】
【０００９】
本発明によれば、ペーパータオルがケース内に収納されるので、ペーパータオルを誤って汚したり濡らしたりするおそれがなくなるうえ、衛生的に使用することができる。また、押さえ穴を設けたことにより、ペーパータオルを引き出したり引きちぎったりする作業を容易に行うことができる。さらに、収納ケースの材料やデザイン、色彩などに工夫を凝らすことにより、室内のインテリア製品としても活用することができる。
【発明を実施するための最良の形態】
【００１０】
次に図面を参照して、本発明の好ましい実施の形態に係るロール型ペーパータオル収納ケースについて詳細に説明する。図１は、本発明の好ましい実施の形態に係るロール型ペーパータオル収納ケースを示した斜視図である。図１において全体として参照符号１０で示されるロール型ペーパータオル収納ケースは、八角筒状の側壁１２を備えている。側壁１２の一方の端部（図１では、上側の端部）は、八角形状の端壁１４によって閉鎖されている。一方、側壁１２の他方の端部（図１では、下側の端部）は、開放しており、八角形状の蓋１６が嵌め込まれている。
【００１１】
側壁１２の稜線の１つに、ペーパータオルを取り出すための長さ方向に延びた取出口１２ａが設けられている。また、取出口１２ａから取り出したペーパータオルをミシン目で切り取る際に切り取り易いように、ペーパータオルを押さえる指（通常は親指）を入れるための押さえ穴１２ｂが、取出口１２ａに隣接した面の端壁１４に近接した個所に設けられている。
【００１２】
図２は、ロール型ペーパータオル収納ケース１０の長さ方向断面図である。図２に示されるように、端壁１４のほぼ中央には、内方に向かって延びた突出部１４ａが設けられており、蓋１６のほぼ中央にも、内方に向かって延びた突出部１６ａが設けられている。突出部１４ａ、１６ａは、ペーパータオルの中空芯に差し込まれ、ペーパータオルを取り出す際にペーパータオルを支持する役目を果たす。突出部１４ａ、１６ａは、ペーパータオルの取り出しの際にペーパータオルが円滑に回転するように、円柱形に形成するのが好ましい。
【００１３】
図３は、ロール型ペーパータオル収納ケース１０の正面図である。好ましくは、押さえ穴１２ｂは、取出口１２ａに隣接した側壁１２の端壁１４に近接した個所に、左肩上がりの楕円形として形成されている。より詳細に説明すると、押さえ穴１２ｂの中心がロール型ペーパータオル収納ケース１０の長さ方向中心軸線（一点鎖線で図示）上にほぼ位置するように押さえ穴１２ｂが形成されているため、ペーパータオルを引き出す際、ペーパータオルを押さえ易い。また、取出口１２ａからペーパータオルを引き出そうとする際には、左手の人指し指から小指までの四指で端壁１４を押さえつつ、親指を押さえ穴１２ｂに入れてペーパータオルを押さえるのが無理のない自然な動作であることを考慮して、右利きの人間が使用し易いように、押さえ穴１２ｂを左肩上がり（図３においてα＝３０°〜６０°程度）の楕円形とした。
【００１４】
なお、ロール型ペーパータオル収納ケース１０を左利きの人間が使用する場合を考慮して、取出口１２ａを中心軸として、押さえ穴１２ｂが位置する個所と反対側の個所に、右肩上がりの楕円形の第２の押さえ穴（図示せず）を設けてもよい。
【００１５】
また、上述の押さえ穴は、ロール型ペーパータオル収納ケース１０を主として縦置きにして使用する場合を想定して設けられたものであるが、横置きにして使用する場合を考慮して、押さえ穴１２ｂが位置する側壁１２の面のほぼ中央に、第３の押さえ穴１２ｃを設けてもよい。
【００１６】
ロール型ペーパータオル収納ケース１０は、プラスチック等の合成樹脂材料、アルミニウム等の軽金属材料で形成してもよく、木製材料で形成して漆塗り、輪島塗り、鎌倉彫り等を施してもよい。
【００１７】
以上のように構成されたロール型ペーパータオル収納ケース１０の（縦置きにした場合の）使用法について説明する。まず、蓋１６を外して（図４（ａ）参照）、収納ケース１０内にペーパータオルを入れる。その際、ペーパータオルの先端部を取出口１２ａから取り出し易いように、ペーパータオルの先端部を２ｃｍ程、巻き方向と逆方向に外側に折り返しておくとよい（図４（ｂ）参照）。そして、ペーパータオルの先端部を取出口１２ａから出す（図４（ｃ）参照）。しかる後、蓋１６を嵌め込む（図４（ｄ）参照）。次いで、図４（ｅ）に示されるように、左手の人指し指から小指までの四指で端壁１４を押さえ、親指を押さえ穴１２ｂに入れてペーパータオルを押さえつつ、右手でペーパータオルを引き出し、所望のミシン目の個所で引きちぎる。なお、ロール型ペーパータオル収納ケース１０を持ち運ぶ際には、押さえ穴１２ｂ、１２ｃに指を入れて持ち運ぶと便利である。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
例えば、前記実施の形態では、側壁１２が八角筒状に形作られているが、側壁を多角筒状に形成してもよく、或いは、横置きにして使用する場合の滑り止め（図示せず）を設ければ、側壁を円筒形にしてもよい。また、前記実施の形態では、突出部１４ａ、１６ａが円柱状に形作られているが、突出部１４ａ、１６ａに凹凸を設け、ペーパータオルを引き出す際の滑り止めにしてもよい。
【図面の簡単な説明】
【００２０】
【図１】本発明の好ましい実施の形態に係るロール型ペーパータオル収納ケースを示した斜視図である。
【図２】図１のロール型ペーパータオル収納ケースの長さ方向断面図である。
【図３】図１のロール型ペーパータオル収納ケースの正面図である。
【図４】図１のロール型ペーパータオル収納ケースの使用法を示した一連の図である。
【符号の説明】
【００２１】
１０  ロール型ペーパータオル収納ケース
１２  側壁
１２ａ  取出口
１２ｂ、１２ｃ  押さえ穴
１４  端壁
１４ａ  突出部
１６  蓋
１６ａ  突出部
【図１】
2005230146.tif 000003
【図２】
2005230146.tif 000004
【図３】
2005230146.tif 000005
【図４】
2005230146.tif 000006